(57)【要約】      （修正有）【課題】扉体の開閉時に異音が発生するのを防止でき、また蝶番ピンが抜けにくい電気機器収納用箱体を提供する。【解決手段】箱状の本体の開口された前面を閉塞する扉体が蝶番を介して本体に連結されて成り、蝶番が回動軸を成す蝶番ピン５０と、本体に固着されて蝶番ピン５０を挿通する筒状のピン挿通部３２を備えた第１蝶番部材３０と、扉体２に固着されて蝶番ピン５０を挿通する挿通片４１を備えた第２蝶番部材４０と、ピン挿通部３２に装着されて、蝶番ピン５０に外嵌される合成樹脂製の筒部材６０とを備えて成り、筒部材６０はピン挿通部３２に係止する係止部６５と蝶番ピンに係合する突起６６とを有する。【選択図】図４
2015075160.tif 000002
【特許請求の範囲】
【請求項１】
一面が開口されて電気機器の収納を可能とした箱状の本体と、前記開口面を閉塞する扉体とを有し、前記扉体の一方の側部が蝶番を介して前記本体に開閉自在に連結されて成る電気機器収納用箱体において、
前記蝶番が、回動軸を成す蝶番ピンと、前記本体に固着されて前記蝶番ピンを挿通する第１挿通部を備えた第１蝶番部材と、前記扉体に固着されて前記蝶番ピンを挿通する第２挿通部を備えた第２蝶番部材と、前記第１挿通部及び前記第２挿通部のうちの少なくとも一方に装着されて、前記蝶番ピンに外嵌される合成樹脂製の筒部材とを備えたことを特徴とする電気機器収納用箱体。
【請求項２】
前記第１挿通部及び前記第２挿通部のうち、少なくとも一方が前記蝶番ピンの中間部を保持する筒状体であって、
前記筒部材は前記筒状体に挿入配置されてなることを特徴とする請求項１記載の電気機器収納用箱体。
【請求項３】
前記筒部材は、先端にテーパ面が周設されて縮径形成される一方、基部には拡径したフランジ状頭部を有し、
挿入した前記筒部材に係止する係止部を有することを特徴とする請求項２記載の電気機器収納用箱体。
【請求項４】
前記係止部は、径方向に弾性を有するよう前記筒部材の側面に形成された弾性片上に形成される一方、
前記筒状体は、途中に切り欠きが設けられて筒状体軸方向に分割形成され、前記係止部は前記切り欠きにおいて前記筒状体に係止することを特徴とする請求項３記載の電気機器収納用箱体。
【請求項５】
前記弾性片は前記筒部材の側面を切り欠いて形成され、前記弾性片の内側の面は前記筒部材に挿入された前記蝶番ピンに当接可能であり、
前記内側の面に前記蝶番ピンに係合する突起を有する一方、前記蝶番ピンには前記突起に係合する凹部が設けられて成ることを特徴とする請求項４記載の電気機器収納用箱体。
【発明の詳細な説明】
【技術分野】
【０００１】
本発明は電気機器収納用箱体に関し、特に電気機器を収納する本体の開放面に扉体を開閉自在に蝶着した構造の電気機器収納用箱体に関する。
【背景技術】
【０００２】
従来より電気機器収納用箱体は、電気機器を収納する本体と本体の開口された一面を閉塞する扉体とで構成されたものが普及している。従来のこのような電気機器収納用箱体は、扉体が本体に蝶着されて開閉自在となっており、この蝶着構造は本体と扉体の双方に蝶番の開閉軸となる蝶番ピンを挿通する蝶番部材を固着し、両者を一直線上に配置して蝶番ピンを連通して蝶番を形成して扉体を開閉自在とした。
ところが、このような構造の蝶番は扉体の重量や箱の変形により、金属製蝶番ピンの抜き差しがスムーズにできない状態が発生する場合があったし、金属同士の摺動による異音が発生することもあった。
この状態を改良するために本出願人は特許文献１の構造を提案した。この特許文献１では、蝶番ピンの抜き差しをスムーズに行うために潤滑性材料を蝶番ピン等にコーティングした。
【先行技術文献】
【特許文献】
【０００３】
【特許文献１】実開平７−３６５０８号公報
【発明の概要】
【発明が解決しようとする課題】
【０００４】
上記特許文献１に示した如く構成することで、蝶番ピンの抜き差しを容易に行うことが可能となったし、扉体の開閉に伴う異音の発生も抑制することができた。
しかしながら、潤滑性材料に耐久性を持たせることが難しく、開閉が繰り返されることでその機能が劣化し、従来の構造と同様に扉体を開閉の度に異音が発生する場合があった。また、扉体の開閉操作により蝶番ピンが徐々に抜けて行く場合があるため、抜けを防止する抜け止め片を別途設ける必要があった。
【０００５】
そこで、本発明はこのような問題点に鑑み、扉体の開閉時に異音が発生するのを防止でき、また蝶番ピンが抜けにくい電気機器収納用箱体を提供することを目的としている。
【課題を解決するための手段】
【０００６】
上記課題を解決する為に、請求項１の発明は、一面が開口されて電気機器の収納を可能とした箱状の本体と、開口面を閉塞する扉体とを有し、扉体の一方の側部が蝶番を介して本体に開閉自在に連結されて成る電気機器収納用箱体において、蝶番が、回動軸を成す蝶番ピンと、本体に固着されて蝶番ピンを挿通する第１挿通部を備えた第１蝶番部材と、扉体に固着されて蝶番ピンを挿通する第２挿通部を備えた第２蝶番部材と、第１挿通部及び第２挿通部のうちの少なくとも一方に装着されて、蝶番ピンに外嵌される合成樹脂製の筒部材とを備えたことを特徴とする。
この構成によれば、第１蝶番部材或いは第２蝶番部材の少なくとも一方に対して、合成樹脂製の筒部材が挿通部に装着されて蝶番ピンに外嵌されるので、蝶番ピンが直接蝶番部材に接触する面積が削減される。よって、扉体開閉により蝶番ピンが回動しても異音が発生し難い。
【０００７】
請求項２の発明は、請求項１に記載の構成において、第１挿通部及び第２挿通部のうち、少なくとも一方が蝶番ピンの中間部を保持する筒状体であって、筒部材は筒状体に挿入配置されてなることを特徴徴とする。
この構成によれば、蝶番の略中央に形成される筒状体に筒部材が配置されるので、蝶番ピンの主要部が筒部材に外嵌される。よって、金属同士の接触部分が僅かとなり異音の発生を良好に低減できる。
【０００８】
請求項３の発明は、請求項２に記載の構成において、筒部材は、先端にテーパ面が周設されて縮径形成される一方、基部には拡径したフランジ状頭部を有し、挿入した筒状体に係止する係止部を有することを特徴とする。
この構成によれば、先端が縮径されているため、筒部材の筒状体への挿入が容易であるし、フランジ状頭部が筒部材端部に当接して挿入し過ぎを防止できる。そして、挿入後は筒状体に係止するので、筒部材は抜け落ちることがない。
【０００９】
請求項４の発明は、請求項３に記載の構成において、係止部は、径方向に弾性を有するよう筒部材の側面に形成された弾性片上に形成される一方、筒状体は、途中に切り欠きが設けられて筒状体軸方向に分割形成され、係止部は切り欠きにおいて筒状体に係止することを特徴とする。
この構成によれば、係止部は径方向に弾性を有する弾性片上に形成されるため、筒部材を挿入する際は、係止部が突出形成されていても弾性片の弾性により押し込まれて容易に挿入できる。また、挿入後は弾性復帰することで係止部が筒状体に確実に係止する。
【００１０】
請求項５の発明は、請求項４に記載の構成において、弾性片は筒部材の側面を切り欠いて形成され、弾性片の内側の面は筒部材に挿入された蝶番ピンに当接可能であり、内側の面に蝶番ピンに係合する突起を有する一方、蝶番ピンには突起に係合する凹部が設けられて成ることを特徴とする。
この構成によれば、筒部材に挿入された蝶番ピンは筒部材に係合して保持されるし、筒部材は一方の蝶番部材に係止して保持されるので、蝶番ピンが抜け落ちることがない。よって、蝶番ピンの抜けを防止する抜け止め手段を別途設ける必要がない。
【発明の効果】
【００１１】
本発明によれば、第１蝶番部材或いは第２蝶番部材の少なくとも一方に対して、合成樹脂製の筒部材が挿通部に装着されて蝶番ピンに外嵌されるので、蝶番ピンが直接蝶番部材に接触する面積が削減される。よって、扉体開閉により蝶番ピンが回動しても摺動に伴う異音が発生し難く、スムーズな開閉が可能となる。
【図面の簡単な説明】
【００１２】
【図１】本発明に係る電気機器収納用箱体の一例を示す斜視図である。
【図２】Ａ部拡大図である。
【図３】蝶番を分解したＡ部拡大図である。
【図４】蝶番の分解図である。
【図５】蝶番のみ抜き出した斜視図であり、扉体を閉じた状態を示している。
【図６】筒部材の縦断面図である。
【図７】蝶番の縦断面図である。
【発明を実施するための形態】
【００１３】
以下、本発明を具体化した実施の形態を、図面を参照して詳細に説明する。図１は本発明に係る電気機器収納用箱体の一例を示す斜視図であり、電気機器を組み付けて収納する箱状の本体１と、開放された本体１の前面を閉塞する扉体２とを有し、扉体２の右側部が本体１に蝶番３を介して連結され、開閉自在となっている。
【００１４】
図２は図１のＡ部の拡大図、図３は更に蝶番３を分解したＡ部の拡大図を示している。図２，３に示すように、蝶番３は本体１側の第１蝶番部材３０と扉体２側の第２蝶番部材４０と蝶番ピン５０と筒部材６０とで構成され、第１蝶番部材３０、第２蝶番部材４０、蝶番ピン５０は金属で作製され、筒部材６０は合成樹脂、例えばポリアセタール（ＰＯＭ）で作製されている。
そして、第１蝶番部材３０は本体１の水切り枠１ａの側面に溶接され、第２蝶番部材４０は扉板２の側面内側に溶接され、蝶番３は扉体２の側部において上下２箇所に取り付けられる。
【００１５】
図４，図５は蝶番３単体を示し、図４は分解図、図５は一体化した状態を示し、扉体２を閉じた状態の構成を示している。第１蝶番部材３０は、平坦に形成されて本体１に溶接される本体取付部３１と、蝶番ピン５０及び筒部材６０が挿入される筒状のピン挿通部３２とを有している。この、ピン挿通部３２は途中に隙間３３が形成され、長さ方向（図示上下方向）に２分割されている。
【００１６】
第２蝶番部材４０は、蝶番ピン５０を挿通する孔４１ａが穿設された一対の挿通片４１を有し、挿通片４１は板状に形成されて互いに平行に配置され、連結片４２を介して一体に形成されている。また、挿通片４１からは扉体２に溶接するための扉体取付部４３が延設されている。
挿通片４１は、第１蝶番部材３０のピン挿通部３２の長さに合わせた間隔で配置され、蝶番ピン５０を挿通する際に、ピン挿通部３２をその長さ方向前後（図示上下）から挟んで、ピン挿通部３２と挿通片４１の中心線が一直線上に配置されるよう構成されている。
【００１７】
蝶番ピン５０は一様な径の軸部５１を有し、図４に示すように下方先端はテーパ面５２が周設されて先端に向けて縮径されている。一方、上方基部は拡径されたフランジ状頭部５３を有し、中間部には溝が周設されて凹部５４が形成されている。
【００１８】
筒部材６０は、蝶番ピン５０を挿通する孔６１ａを備えた胴部６１を有し、下部先端はテーパ面６２が周設されて先端に向けて縮径されている。一方、上方基部は拡径されたフランジ状頭部６３が形成されている。更に、胴部６１の中間部には胴部６１を切り欠いて形成した弾性片６４を備え、ピン挿通部３２に係止する係止部６５が弾性片６４に形成されている。
弾性片６４は、筒部材６０の中心軸Ｍ（図６に示す）に平行に且つ先端を筒部材６０の基部に向けて形成され、係止部６５は弾性片６４の先端を側方に突出させて形成されている。尚、この係止部６５は隙間３３においてピン挿通部３２に係止する。
【００１９】
図６はこの筒部材６０の縦断面図を示し、弾性片６４を断面で示している。図６に示すように、弾性片６４は先端の係止部６５に向けて基部からテーパ面が形成されて徐々に突出させ、筒部材６０のピン挿通部３２への挿入をし易くしている。
また、弾性片６４の先端内側には突起６６が形成されている。この突起６６は、孔６１ａの形成面に対して内方に突出するよう形成され、挿入された蝶番ピン５０に係合するよう形成されている。
【００２０】
このように構成された蝶番部材は次のように一体化される。即ち扉体２が本体１に連結される。先ず、上述したように第１蝶番部材３０が本体１の所定部位に溶接され、第２蝶番部材４０が扉体２の所定部位に溶接される。
次に、筒部材６０が第１蝶番部材３０のピン挿通部３２に挿入される。以下図４を参照して説明する。筒部材６０は上方から挿入され、側方に突出した弾性片６４はピン挿通部３２に当接すると内方に弾性変形してスムーズに挿入できる。挿入により頭部６３がピン挿通部３２に当接すると挿入が完了する。この状態で、弾性片６４の先端係止部６５が隙間３３に露出してピン挿通部３２の端部に係止し、筒部材６０がロックされ抜けが防止される。
【００２１】
筒部材６０を組み付けた後は、蝶番ピン５０を挿通する。そのため、ピン挿通部３２を挟持するように第２蝶番部材４０の挿通片４１を配置する。即ち、扉体２の右側部を本体１の水切り枠１ａに沿うように配置する。こうして、ピン挿通部３２の軸と挿通片４１の孔４１ａを一直線状に配置させる。
この状態で蝶番ピン５０を上方から挿入して第１蝶番部材３０と第２蝶番部材４０とは連結され、上記図５に示すように一体化される。
【００２２】
図７は、こうして一体化された蝶番３の断面図を示し、蝶番ピン５０の中心に沿った縦断面図を示している。挿入された蝶番ピン５０は、中間部に形成された凹部５４に筒部材０の突起６６が係合して保持される。
【００２３】
このように、第１蝶番部材３０のピン挿通部３２に合成樹脂製の筒部材６０が装着されて蝶番ピン５０に外嵌されるので、蝶番ピン５０が直接第１蝶番部材３０に接触することがない。然も、蝶番３の中央に配置されて蝶番ピン５０との接触面積の大きいピン挿通部３２に筒部材６０が配置されるので、蝶番ピン５０の主要部に筒部材６０が外嵌するため、蝶番３の金属同士の接触は僅かとなり、扉体２の開閉に伴う異音の発生を良好に低減できる。
また、筒部材６０は先端が縮径されているため、筒状に形成されたピン挿通部３２への挿入が容易であるし、頭部６３が筒状体に当接して挿入し過ぎを防止できるし、挿入後は筒部材６０がピン挿通部３２に係止するので、筒部材６０は抜け落ちることがない。
更に、係止部６５は径方向に弾性を有する弾性片６４上に形成されるため、筒部材６０を挿入する際は、係止部６５が突出形成されていても弾性片６４の弾性により容易に挿入できるし、挿入後は弾性片６４が弾性復帰することで確実に係止する。
また、挿入された蝶番ピン５０は筒部材６０に係合して保持されるし、筒部材６０は第１蝶番部材３０に係止して保持されるので、蝶番ピン５０が抜け落ちることがないため、蝶番ピン５０の抜けを防止する抜け止め手段を別途設ける必要がない。
加えて、筒部材６０の頭部６３が、ピン挿通部３２の上端と第２蝶番部材４０の上側挿通片４１の間に配置されて挟持されるため、第１蝶番部材３０と第２蝶番部材４０との接触を無くすことができ、扉体２の開閉を更にスムーズに実施できるし、異音の発生防止にも有効である。
【００２４】
尚、筒部材６０は、第１蝶番部材３０のみに配置したが、第２蝶番部材４０に亘って配置しても良い。また、扉体２側の第２蝶番部材４０に形成した蝶番ピン５０を挿通する挿通片４１を板状に形成したが、筒状に形成しても良い。
更に、第１蝶番部材３０と第２蝶番部材４０の配置を逆にして、扉体２に筒状のピン挿通部３２を備えた第１蝶番部材３０を取り付けても良い。
【符号の説明】
【００２５】
１・・本体、２・・扉体、３・・蝶番、３０・・第１蝶番部材、３２・・ピン挿通部（第１挿通部）、３３・・隙間（切り欠き）、４０・・第２蝶番部材、４１・・挿通片（第２挿通部）、５０・・蝶番ピン、５４・・凹部、６０・・筒部材、６１・・胴部、６３・・頭部、６４・・弾性片、６５・・係止部、６６・・突起。
【図１】
2015075160.tif 000003
【図２】
2015075160.tif 000004
【図３】
2015075160.tif 000005
【図４】
2015075160.tif 000006
【図５】
2015075160.tif 000007
【図６】
2015075160.tif 000008
【図７】
2015075160.tif 000009